(57)【特許請求の範囲】
【請求項１】
顔面に装着して使用されるマスクであって、マスク本体と、該マスク本体を顔面に対し固定する固定手段と、前記マスク本体の内側であって、マスク本体の上端部の左右方向に沿って設けられた帯状または線状の吸水部材とを備え、
前記吸水部材が、吸水性樹脂を含む吸水シートがさらに布帛に包まれてなる吸水シートであり、
前記吸水性樹脂を含む吸水シートの厚みが１ｍｍ以上６ｍｍ以下であることを特徴とするマスク。
【請求項２】
前記布帛が親水性布帛であることを特徴とする請求項１記載のマスク。
【請求項３】
前記マスク本体の上端部の左右方向に沿って前記吸水部材と共に帯状または線状の形状保持部材が設けられてなり、
前記吸水性樹脂を含む吸水シートがさらに布帛に包まれてなる吸水シートが前記形状保持部材の上を覆うようにして固定されてなることを特徴とする請求項１記載のマスク。
【請求項４】
請求項１〜３のいずれか１項に記載のマスクを顔面に装着する際に、該マスクの上端部と顔面との間に隙間がなくなるようにマスクの上端部を顔面にフィットさせて使用するマスクの使用方法。
【発明の詳細な説明】
【技術分野】
【０００１】
本発明はマスクに関する。さらに詳しくはマスクの内部に吸水部材を設けるマスクに関する。
【背景技術】
【０００２】
従来、市販されているマスクは、長方形にカットされた布帛を複数枚重ね合わせたマスク本体と、このマスク本体の長さ方向の両端部にそれぞれ取り付けられた紐またはゴム紐とにより構成されている。マスクと共に眼鏡を装着する場合には、鼻部と頬面の間に窪みがあり、マスク上端部から吐息が漏れて眼鏡を曇らし眼鏡が見えにくいという問題がある。
この問題を解決するために、ノーズフィット（たとえば、特許文献１〜３）を入れたり、緩衝材（たとえば、特許文献４、５）を入れたりしてマスク上端部から抜け出る空気を少なくし眼鏡装着時の曇り防止を行っている。
【先行技術文献】
【特許文献】
【０００３】
【特許文献１】特開２００７−１８５４７０号公報
【特許文献２】特開２０１０−１３７０３４号公報
【特許文献３】特開２０１３−７５１３０号公報
【特許文献４】特開２００６−３４０９７１号公報
【特許文献５】特開２００７−２５２８５４号公報
【発明の概要】
【発明が解決しようとする課題】
【０００４】
しかしながら、ノーズフィットや緩衝材を設けても顔面が動くことにより。鼻部と頬面との間に隙間がどうしてもでき、寒いときには吐息が漏れて眼鏡が曇り易く、また、眼鏡が冷えてくると、ノーズフィットや緩衝材のすぐ下側付近のマスク本体の布帛を通過する吐息によっても眼鏡が曇る場合がある。
【０００５】
本発明の目的は、眼鏡に接触する吐息をさらに減らすことにより、眼鏡の曇りをさらに抑制するマスクを提供することにある。
【課題を解決するための手段】
【０００６】  本発明者らは、上記の課題に鑑み、鋭意研究の結果、マスクの内部の上端部に吸収部材を置くことによって、マスクの上部から抜け出ようとする吐息をそこに吸収させることにより眼鏡の曇りが抑制できることを見出し、本発明を完成するに至った。
本発明は、顔面に装着して使用されるマスクであって、マスク本体と、該マスク本体を顔面に対し固定する固定手段と、前記マスク本体の内側であって、マスク本体の上端部の左右方向に沿って設けられた帯状または線状の吸水部材とを備え、
前記吸水部材が、吸水性樹脂を含む吸水シートがさらに布帛に包まれてなる吸水シートであり、
前記吸水性樹脂を含む吸水シートの厚みが１ｍｍ以上６ｍｍ以下であることを特徴とするマスクである。【０００７】  さらに本発明は、上記布帛が親水性布帛であることを特徴とする。
さらに本発明は、前記マスク本体の上端部の左右方向に沿って前記吸水部材と共に帯状または線状の形状保持部材が設けられてなり、前記吸水性樹脂を含む吸水シートがさらに布帛に包まれてなる吸水シートが上記形状保持部材の上を覆うようにして固定されてなることを特徴とする。【０００８】
また本発明は、上記のマスクを顔面に装着する際に、該マスクの上端部と顔面との間に隙間がなくなるようにマスクの上端部を顔面にフィットさせて使用するマスクの使用方法である。
【発明の効果】
【０００９】
本発明によれば、吸水部材をマスクの上端部に設けるので、マスクの上部から漏れる吐息が吸水部材に吸収されてマスク上部から出る吐息をさらに減らすことができ、眼鏡の曇りを減らすことができる。さらに、マスク内の吐息中の湿気を減らすことができ、眼鏡を使用しない人でもむれや息苦しさを改善でき、ドライ感を得ることができる。
【００１０】
本発明によれば、上記吸水シートが、布帛に包まれてなるので、吸水シートから吸水性樹脂が顔面に接触することを防止でき、より快適にマスクを装着できる。また、マスクの吸収シートと顔面とがよりフィットしやすくなり隙間が減り、吐息の漏れが少なくなり、眼鏡の曇りをさらに抑制できる。
【００１１】
本発明によれば、上記布帛が親水性布帛であるので、吐息中の湿気が布帛に吸収されやすく、吸収された湿気はさらに中の吸収部材に吸収される。その結果さらに眼鏡が曇りにくくなる。
【００１２】
本発明によれば、上記マスク本体の上端部の左右方向に沿って吸収部材と共に帯状または線状の形状保持部材が設けられてなるので、マスクの上端部と顔面とがさらにフィットでき、吐息の漏れがさらに少なくなり、眼鏡の曇りがさらに少なくなる。
【００１３】
本発明によれば、上記のマスクを顔面に装着する際に、該マスクの上端部と顔面との間、特に鼻部と頬部との間に隙間がなくなるようにマスクの上端部を顔面にフィットさせて使用するマスクの使用方法あるので、吐息の漏れがさらに少なくなり、眼鏡の曇りがさらに少なくなる。
【図面の簡単な説明】
【００１４】
【図１】（ａ）は本発明の一実施形態であるマスクの正面図であり、（ｂ）は（ａ）におけるＸ−Ｙ軸を含む平面で切断して拡大した断面図である。
【発明を実施するための形態】
【００１５】
以下、本発明の実施の形態につき、詳細に説明する。なお、本発明は、以下の実施の形態に限定されるものではない。本発明と同一および均等の範囲内において、以下の実施の形態に対して種々の変更を加えることが可能である。
【００１６】
本発明のマスクは、マスク本体と、該マスク本体を顔面に対し固定する固定手段と、前記マスク本体の上端部の左右方向に沿って設けられた帯状または線状の吸水部材とを備えている。
マスク本体は、特に限定はなく、従来から市販されているマスクが使用できる。
マスク本体を顔面に対し固定する固定手段は、マスクに用いられるものであれば限定はなく、好ましくは繊維から形成された紐が用いられる。この紐に代えて、たとえば、耳に引っかける環状の帯またはゴム紐、頭にしばりつけられる帯または紐、耳の上部にかける眼鏡のツル状のものなどでも使用できる。
【００１７】
帯状または線状の吸水部材は、吸水性樹脂を含む吸水シートである。
本発明における吸水性樹脂としては、天然系でも合成系でも特に限定はないが、安価で、安全性、耐久性、吸水量や吸水速度などの吸水特性に優れ、かつ、腐敗の心配の無いものが好ましい。特に吸水量の大きいものが吐息中の湿気を吸収するので好ましい。
【００１８】
このようなものとして吸水するものであれば特に限定されるものではないが、特に合成系の吸水性樹脂が好ましく挙げられ、たとえば、ポリアクリル酸部分中和物架橋体、デンプン−アクリル酸グラフト重合体の中和物、デンプン−アクリロニトリルグラフト重合体の加水分解物、酢酸ビニル−アクリル酸エステル共重合体のケン化物、イソブチレン−無水マレイン酸共重合架橋体、アクリロニトリル共重合体若しくはアクリルアミド共重合体の加水分解物またはこれらの架橋体、アクリル酸塩−アクリルアミド共重合架橋体、ポリビニルアルコール架橋体、変性ポリエチレンオキサイド架橋体、アクリルアミド−２−メチルプロパンスルホン酸塩共重合架橋体、（メタ）アクリロイルアルカンスルホン酸塩共重合架橋体、架橋カルボキシメチルセルロース塩、カチオン性モノマーの架橋重合体などが挙げられる。これらのうち、ポリアクリル酸部分中和物架橋体、および、デンプン−アクリル酸グラフト重合体の中和物が、吸水膨潤特性、安全性や経済性などが特に良好であるためより好ましい。
【００１９】
これらの吸水性樹脂は、単独で用いてもよく、また、二種類以上を適宜混合して用いてもよい。上記吸水性樹脂は、所定形状に造粒されていてもよく、また、不定形破砕状、球状、鱗片状、繊維状、棒状、塊状、粉末状など、種々の形状であってもよいが、吸水性能を向上させるために、粉末状であることがより好ましい。
【００２０】
粒子の平均粒子径について特に限定はないが、好ましくは３０〜８５０μｍであり、より好ましくは６０〜４００μｍである。３０μｍより大きいと吸水シートから吸水性樹脂の粉末が漏れにくくなり、８５０μｍより小さいと吐息の吸収性が良好である。粒度分布は特に限定はないが、好ましくは３０〜８５０μｍの範囲の粒子が９５質量％以上になるような粒度分布である。ここで平均粒子径は質量平均粒子径を意味し、質量平均粒子径は、架橋重合体の各粒度分布を横軸が粒子径、縦軸が質量基準の含有量の対数確率紙にプロットし、全体の５０％を占めるところの粒子径を求める方法により測定する。たとえば、通常の篩振とう法が適用できる。
【００２１】
上記吸水性樹脂の吸水量は、好ましくは２０ｇ／ｇ以上、１，０００ｇ／ｇ以下である。２０ｇ／ｇ以上であると吐息を吸収させて眼鏡が曇りにくくなる。１，０００ｇ／ｇ以下であると製造上の問題もなく、しかも吐息を吸収したゲルは適度な硬さを有し吸水シートから漏出しにくい。吸水量は上記の吸水性樹脂の種々の製造条件によりコントロールできる。
【００２２】
保水量／吸水量の比は好ましくは０．５５〜１．００であり、より好ましくは０．６５〜１．００である。保水量／吸水量の比が０．５５以上であると一旦吸収した吐息中の湿気をマスク内に吐き出しにくい。保水量／吸水量の比はモノマーの種類や架橋条件などによりコントロールできる。
【００２３】
また、吸水性樹脂の吸水速度は、好ましくは５〜５０秒であり、より好ましくは５〜２０秒である。吸水速度が５秒以上であると、空気中の湿度の影響で吸水性樹脂同士のブロッキングなどが生じにくくなり、使う前に「ままこ」がないので使いやすい。吸水速度が５０秒以下であると、吐息を速く吸収することができる。
【００２４】
吸水性樹脂の吸水量、保水量、吸水速度は下記の方法で測定できる。
［吸水量］
ナイロン製の網袋（２５０メッシュ）に吸水性樹脂の試料１ｇを入れ、これを袋ごと過剰の水道水に浸した。浸漬６０分後に袋ごと空中に引き上げ、静置して１５分間水切りした後、質量Ｍ（ｇ）を測定して下式より吸水倍率を求める。
なお網袋のみを用いて上記と同様の操作を行い、この分の質量Ｎ（ｇ）をブランクとして差し引いた。吸水量＝（Ｍ−Ｎ）／Ｌ
［保水量］
１５０Ｇ（１，１００ｒｐｍ、ｒ＝１０ｃｍ）の遠心力が発揮できる遠心分離器を準備する。遠心分離器に吸水量測定後の試料入りティーバッグ状パッケージをセットし、それと対角線上に空のティーバッグ状パッケージをセットし、１５０Ｇ×９０秒遠心分離する。各々のティーバッグ状パッケージの重量を測定し、保水量（ｇ／ｇ）＝（Ａ−Ｂ）／１．０より計算する。
[吸水速度]
１００ｍＬのガラスビーカーに水道水を５０ｍＬ入れ、マグネットスター
ラー〔直径（中央部８ｍｍ、両端７ｍｍ）、長さ３０ｍｍのフッ素樹脂コーテイングされたもの〕を用いて６００ｒｐｍで攪拌する。
次に試料２．００ｇを渦中に一度に投入し、投入した時から渦が消えて液面が水平になった時点までの時間（秒）を測定し、吸水速度とする。
【００２５】
本発明における吸水シートは、上記の吸水性樹脂と共に、水不溶性吸水・保水材を同時に含ませてもよい。水不溶性吸水・保水材としては、吸水して膨潤する吸水性樹脂以外のもの、たとえば、パルプ、吸水性繊維、ヤシガラ、モミガラ、木くず、木粉、木綿、オガクズ、ワラ、ヤシ殻活性炭などの有機系水不溶性吸水・保水材やパーライト、ロックウール、多孔質セラミック、バーミキュライト、軽石などの無機系水不溶性吸水・保水材が挙げられる。好ましくはパルプである。
【００２６】
吸水シートの構成として好ましいものは、布（特に不織布）、紙などの通水性基材の片面または両面に粘着剤やバインダー樹脂を用いてまたは抄紙によって吸水性樹脂の粉末を固定化したものであり、特に好ましいものは、紙や布などの通水性基材でサンドイッチ状に挟んだ後、エンボス加工法、ニードルパンチ法で吸水性樹脂を一体化したもの；プラスチックフィルムの片面に粘着剤やバインダー樹脂を用いて吸水性樹脂の粉末を固定させ、そのまままたは片面に上記通水性基材を被せたもの、たとえば、セロハンやビニールの粘着テープを用いて、粘着面に吸水性樹脂粉末を散布し、そのまま、または布帛などの通水性基材を被せて圧着ロールで固定したものなどが挙げられる。好ましくは両面が通水性である構成のものである。
【００２７】
また、吸水性樹脂が吸水シート内で吐息を偏り無く吸収するためには、面積当りの吸水性樹脂量がほぼ均一に挟み込まれた状態で、シートに固定されることが望ましく、そのために上記の素材中では紙シート、フェルト状の不織布が特に好ましい。フェルトとしては織フェルト、プレスフェルト、ニードルパンチフェルト等、一般にフェルトと称されるものであり、例えば、「産業用繊維資材ハンドブック」（日本繊維機械学会、３６２頁〜３８１頁）に記載されているものが使用できる。紙、フェルトの目付量は特に制限はないが、５０〜５００ｇ／ｍ２が好ましく、特に９０〜３００ｇ／ｍ２が好ましい。
吸水シート内における吸水性樹脂の目付量は好ましくは１．０〜２００ｇ／ｍ２であり、より好ましくは２．０〜１００ｇ／ｍ２である。
【００２８】
上記の吸水シートは、布帛に包まれてなるのが好ましい。吸水シートが布帛に包まれていると、吸水シートから吸水性樹脂の粉末が顔面に接触することを防止でき、より快適にマスクを装着できる。また、マスクの吸収シートと顔面とがよりフィットしやすくなり隙間が減り、吐息の漏れが少なくなり、眼鏡の曇りも少なくなるので好ましい。
このような布帛としては、たとえば、綿、羊毛、絹、セルロース、パルプ等の天然繊維、ポリエステル、ナイロン、アクリル、ポリエチレン、ポリプロピレン、ポリウレタン、ポリスチレン、ポバールなど及びその変性物などの合成樹脂又は繊維、レーヨン、アセテートなどの半合成繊維等及びこれらの混合素材が適用できる。布帛の形態としては、編布、織布、不織布のいずれでも適用できるが、不織布が吐息の通過性の面で好ましい。
【００２９】
また、布帛が親水性布帛であると、吐息中の湿気が布帛に吸収されやすく、吸収された吐息はさらに吸収部材に吸収される。その結果さらに眼鏡が曇りにくくなるのでより好ましい。
このような親水性布帛としては、たとえば、綿、麻、レーヨン、高吸水性繊維、マイクロファイバー、および異形断面糸、異繊度糸などの繊維からなる布帛が挙げられるがこれらに限定されない。これらの中でも吸水しても膨潤しにくく、且つ表面の吸水能力が大きい布帛が好ましい。布帛の表面の吸水能力の目安として、下記の布帛表面の水分測定法で測定した布帛の表面の水分値が２０．０％以上を示す布帛が好ましい。
【００３０】
水分測定法：布帛を含水（１５〜２０℃の水）し、ピックアップ率１００％に絞り、室内の２５±５℃で３０分放置した後布帛の表面の水分を水分測定器で測定する。１０回測定し、平均値を測定値とする。水分測定器としては、たとえば、「水分チエッカー」（型式：ＳＫ−９４０Ａ、佐藤計量器製作所社製）を用いることができる。
【００３１】
上記の布帛で吸水シートを包む方法は特に限定はないが、吸水シートを布帛の袋に入れるか、布帛の上に吸水シートを置いたのち布帛を閉じて袋としてもよい。袋にする方法も特に限定はないが、たとえば、縫製、粘接着剤、超音波融着、「マジックテープ」（商標）の使用などが挙げられる。
【００３２】
吸水シートは、帯状（帯板状）または線状（棒状）に構成されるが、これらはマスクの大きさに合わせて決めるのがよい。吸水シートの縦（長さ）はマスクの横幅の１／２〜同等、吸水シートの横（幅）はマスクの縦幅の１／１０以上１／２以下であるのが好ましい。たとえば、マスクの横幅が１６ｃｍであれば、吸水シートの縦の長さは８〜１６ｃｍ、マスクの縦幅が９ｃｍであれば、吸水シートの幅は０．９〜４．５ｃｍであるのが好ましい。吸水シートの厚みは１ｍｍ以上６ｍｍ以下が好ましい。より好ましくは２ｍｍ以上４ｍｍ以下である。この範囲内であれば、吐息を十分に吸収でき眼鏡の曇りを抑えることができる。
【００３３】
吸水シートはマスクの内側（顔面側）であって、マスク本体の上部の左右方向に沿って設けられる。固定方法は特に限定はなく、たとえば、縫製、粘接着剤、超音波融着、「マジックテープ」（商標）の使用などが挙げられる。
【００３４】
また、さらにマスク本体の上部の左右方向に沿って前記吸水部材と共に帯状または線状の形状保持部材が設けられるのが好ましい。
この形状保持部材は、従来から使用されているものが用いられ、柔軟性があり塑性変形可能なものであれば限定は無い。
形状保持部材の材質としては、樹脂材料がよく、たとえば、ポリオレフィン系樹脂、ポリ塩化ビニル系樹脂、メタクリル系樹脂などが挙げられるが、これらの中でもポリオレフィン系樹脂を主成分とするものが好ましい。ポリオレフィン系樹脂で構成された形状保持部材は、柔軟性が高いため、比較的容易にその形状を変化させることができる。
【００３５】
ポリオレフィン系樹脂としては、たとえば、高密度ポリエチレン樹脂、中密度ポリエチレン樹脂、低密度ポリエチレン樹脂、線状低密度ポリエチレン樹脂のようなポリエチレン系樹脂、ポリプロピレン樹脂、エチレン−プロピレン共重合体、エチレン−ペンテン−１共重合体、エチレン−酢酸ビニル共重合体、エチレン−（メタ）アクリル酸エステル共重合体、エチレン−塩化ビニル共重合体、エチレン−プロピレン−ブテン共重合体等が挙げられるが、これらの中でも、高密度ポリエチレン樹脂が好適に使用される。
【００３６】
ポリオレフィン系樹脂で構成された形状保持部材は、柔軟性が高いため、比較的容易にその形状を変化させることができ、マスク本体を所望の形状に変形させて、その状態を維持することができる。マスク本体を変形させた状態を安定して維持し、顔面に確実にフィットさせることができるため、歩行や運動等による外部からの負荷に対してマスク本体がずれてしまうのを防止するマスクとなる。
【００３７】
形状保持部材は、塑性変形可能な帯状（帯板状）または線状（棒状）の部材で構成される。形状保持部材は、帯板状の場合の平均厚さが、好ましくは０．０５〜１．５ｍｍ程度であり、より好ましくは０．１５〜１．０ｍｍ程度である。長さはマスクの横幅の１／４〜３／４が好ましい。
【００３８】
形状保持部材をマスク本体に固定する方法としては、特に限定されるものではなく、たとえば、縫い付け、ホットメルト接着剤による接着、超音波融着等が挙げられる。このうち、樹脂材料で構成された形状保持部材のマスク本体への取り付けには、ホットメルト接着剤または超音波融着が、金属材料で構成された形状保持部材のマスク本体への取り付けには、縫い付けが、それぞれ互いを強固に取り付けられる点で好ましい。
【００３９】
図１に本発明の一実施形態であるマスクを示した。（ａ）は本発明の一実施形態であるマスクの正面図であり、（ｂ）は（ａ）におけるＸ−Ｙ軸を含む平面で切断して拡大した断面図である。
マスク１は、マスク本体２の側部にゴム紐３、マスク本体２の上端部４には形状保持部材５が取り付けられている。その上を覆うようにして布帛６で包まれた吸水シート７が粘着剤８で固定されている。
【００４０】
上記のように作成したマスクを顔面に装着する際に、マスクの上端部と顔面との間に隙間がなくなるようにマスクの上端部と顔面とをフィットさせて使用する。形状保持部材がなくても吸水部材をつけるだけでもフィットしやすいが、形状保持部材があるとさらにマスクの上端部と顔面とがフィットしやすくなるので好ましい。本発明のマスクの使用においては、図１における形状保持部材５と共に吸水シート７を顔面にフィットさせて使用するのが好ましい。
【００４１】
以下実施例にて本発明を説明するが、これらに限定されない。
［吸水シートの作成］
１５ｃｍ×３ｃｍのティッシュ２枚の間に吸水性樹脂（架橋ポリアクリル塩樹脂、表面架橋型：吸水量３５９ｇ／ｇ、保水量２５５ｇ／ｇ、保水量／吸水量０．７１、吸水速度１５秒、平均粒径３５０μｍ：三洋化成工業社製）５０ｇ／ｍ2と再生パルプ５０ｇ／ｍ２をほぼ均一になるように散布し、少し湿らしてからエンボス加工で一体化させて仮の吸水シートaを得た。
【００４２】
これを９ｃｍ×１５．５ｃｍのレーヨン不織布（目付け２０ｇ／ｍ２、前記の水分測定法による布帛表面の水分値２１．０％）の中央上に置き両側から回してレーヨン不織布の端を重ね粘着剤で固定して吸水シートＡを得た。吸水シートＡの厚さは約３ｍｍであった。このとき吸水シートａがレーヨン不織布で包まれ、両側が開いた状態になっている。
レーヨン不織布に替えてＰＥＴ不織布（目付け２０ｇ／ｍ２、前記の水分測定法による布帛表面の水分値１７．５％）を用いる以外は同様にして吸水シートＢを得た。吸水シートＢの厚さは約３ｍｍであった。
【００４３】
［マスクの作成］
市販の三層構造のマスクａ，ｂを準備した。このマスクaには、マスクの上端から１２ｍｍの箇所に幅３ｍｍ、長さ１２ｃｍの形状保持部材（高密度ポリエチレン樹脂）が左右方向に接着剤で取り付けて固定されていた。マスクｂには形状保持部材はなかった。
図１のように、マスクａの上端部に吸水シートＡを粘着剤で取り付けて本発明のマスク１を作製した。同様にしてマスクａに吸水シートＢ、吸水シートａ、およびマスクｂに吸水シートＡを取り付けて本発明のマスク２、３、４を作製した。マスクａをそのままマスク５とした。
【００４４】
［マスクの評価］
上記に作製したマスク１〜５について、眼鏡をしている人１０人にマスクの曇り具合の評価をしてもらった。１月の寒い時期に建物に出入りを繰り返して、以下の評価（点）をつけてもらった。その平均点を表１に示す。点数が多い方が曇りにくいことを示す。
（評価）
０    曇り防止の効果がない
２    曇り防止の効果はありそう
４    曇り防止効果は明確に認められる
６    若干曇る
８    ほとんど曇らない
１０  全く曇らない
【００４５】
【表１】
0006524390.tif 000002
【００４６】
上記表１から、マスク４、５を比較すれば、本発明のマスクは従来の形状保持部材（ノーズフィット）を設けただけのものよりも眼鏡が曇りにくい傾向があるようである。さらにマスク１〜３を比較すれば、吸水シートだけのものよりも布帛で包んだものが眼鏡が曇りにくい傾向があり、布帛の中でも親水性布帛の方がより眼鏡が曇りにくい傾向があることがわかる。このことより、本発明のマスクは眼鏡の曇りを抑制できるという効果を奏している。
【符号の説明】
【００４７】
１  マスク
２  マスク本体
３  ゴム紐
４  マスク本体の上端部
５  形状保持部材
６  布帛
７  吸水シート
８  粘着剤
【図１】
0006524390.tif 000003